(57)【要約】【課題】家庭内ネットワークのトラフィックを調整し、ホームサーバからコンテンツを転送する時間の短縮化を図る。【解決手段】個々のＡＶ機器で録画予約したコンテンツを視聴履歴によって視聴する割合の高い機器に、予めコンテンツを転送（移動）することによって、いざ視聴を始めようとするユーザーのコンテンツ転送（移動）時間を省き、家庭内ネットワークのトラフィックを軽減することによって、複数のチューナ、複数の記録装置を同時に平行して活用することが可能なコンテンツの分散システムが実現できる。【選択図】　　　図１
2004120038.tif 000002
【特許請求の範囲】
【請求項１】
インターフェースを備え、音声および映像情報の処理を行い記録する複数の第１の記録再生装置と、
インターフェースを備え、音声および映像情報の処理を行い記録する第２の記録再生装置と、を具備し、
前記第２の記録再生装置内には、前記第１の記録再生装置によるコンテンツの予約録画情報を一元管理し、前記第１および第２の記録再生装置との間の前記コンテンツの転送先情報と転送開始時間を一元管理し、ユーザが前記コンテンツを視聴する場所に設置された前記第１の記録再生装置に予め前記コンテンツを転送する制御手段を有してなることを特徴するコンテンツ分散記録再生システム。
【請求項２】
前記録画情報の転送先をユーザーが設定することを特徴とする請求項１に記載のコンテンツ分散記録再生システム。
【請求項３】
前記録画情報の転送開始時間をユーザーが設定することを特徴とする請求項１記載のコンテンツ転送を分散するシステム。
【請求項４】
前記制御手段にコンテンツ転送履歴データベースを備え、前記コンテンツ転送先を前記コンテンツ転送履歴データベースから高頻度の機器を特定することを特徴とする請求項１記載のコンテンツ分散記録再生システム。
【請求項５】
前記制御手段にコンテンツ視聴履歴データベースを備え、前記コンテンツ転送開始時間を前記コンテンツ視聴履歴データベースから特定することを特徴とする請求項１記載のコンテンツ分散記録再生システム。
【請求項６】
インターフェースを備え、音声および映像情報の処理を行い記録する複数の第１の記録再生装置と、
インターフェースを備え、音声および映像情報の処理を行い記録する第２の記録再生装置と、
前記第２の記録再生装置内には、コンテンツの予約録画情報を前記複数の第１の記録再生装置から収集した予約録画情報を一元管理し、前記第１の記録再生装置間で前記コンテンツを転送し、該コンテンツの転送先情報と転送開始時間を一元管理し、ユーザーが前記コンテンツを視聴する場所に設置した前記第１の記録再生装置に予め前記コンテンツを転送する制御手段を有してなることを特徴とするコンテンツ分散記録再生システム。
【請求項７】
インターフェースを備え、音声および映像情報の処理を行い記録する複数の第１の記録再生装置と、
インターフェースを備え、音声および映像情報の処理を行い記録する第２の記録再生装置と、を具備し、
前記第２の記録再生装置内には、コンテンツの予約録画情報を前記第１の記録再生装置を介して供給された音声および映像情報を処理して前記第２の記録再生装置に記録し、前記第１の記録再生装置から提供される予約録画情報を一元管理し、前記複数の第１記録再生装置の間で前記コンテンツを転送し、該コンテンツの転送先情報と転送開始時間を一元管理し、ユーザーが前記コンテンツの視聴する場所に設置した前記第１の記録再生装置に予め前記コンテンツを転送する制御手段を有してなることを特徴とするコンテンツ分散記録再生システム。
【請求項８】
前記制御手段に、コンテンツ転送履歴データベースを備え、前記コンテンツ転送先を前記コンテンツ転送履歴データベースから高頻度の機器を特定することを特徴とする請求項６または７記載のコンテンツ分散記録再生システム。
【請求項９】
前記制御手段に、コンテンツ視聴履歴データベースを備え、前記コンテンツ転送開始時間を前記コンテンツ視聴履歴データベースから特定することを特徴とする請求項６または７記載のコンテンツ分散記録再生システム。
【請求項１０】
記録再生機能を内蔵する複数の記録再生装置およびセンターとなる記録再生
機能を内蔵する記録再生装置を、インターフェースを介して家庭内ネットワークにそれぞれ接続し、前記複数の記録再生機器の視聴履歴を前記センターの記録再生機器で一元管理し、該一元した情報に基づき、視聴履歴の高い前記複数の記録再生機器に前記センターの記録再生機器から予めコンテンツを転送し、送られた少なくとも最も視聴履歴の高い前記複数の記録再生機器を記録状態に設定することを特徴とするコンテンツ分散記録方法。
【請求項１１】
記録再生機能を内蔵する複数の記録録再装置およびセンターとなる記録再生機能を内蔵する記録再生装置を、インターフェースを介して家庭内ネットワークにそれぞれ接続し、前記複数の記録再生送致の視聴履歴を前記センターの記録再生機器で一元管理し、前記視聴履歴から視聴の高い前記複数の記録再生装置のうち、該当する記録再生装置に予め前記コンテンツが記録された前記記録再生装置からコンテンツを転送し記録状態に設定することを特徴とするコンテンツ分散記録方法。
【請求項１２】
記録再生機能を内蔵する複数の記録再生送致およびセンターとなる記録再生機能を内蔵する記録再生送致を、インターフェースを介して家庭内ネットワークにそれぞれ接続し、前記複数の記録再生送致の視聴履歴を前記センターの記録再生機器で一元管理し、前記視聴履歴から視聴の高い前記複数の記録再生装置のうち、該当する記録再生装置に予め前記コンテンツが記録された前記記録再生装置からコンテンツを転送するか、または前記視聴履歴から視聴の高い前記複数の記録再生装置のうち、該当する記録再生装置に予め前記コンテンツが記録された前記記録再生装置からコンテンツを転送し記録状態に設定することを特徴とするコンテンツ分散記録方法。
【発明の詳細な説明】
【０００１】
【発明の属する技術分野】
この発明は、デジタルインターフェイスを持ったＡＶ機器を相互に接続して構成されるコンテンツ分散記録再生システムおよびコンテンツ分散記録方法に関する。
【０００２】
【従来の技術】
従来のバスラインを介して複数のＡＶ機器を接続して構成したデジタルＡＶシステムは、システムコントローラとしてパソコンを用い、テレビジョン受像機の表示機能、ビデオレコーダの録画再生機能、パソコンのプログラム制御機能をそれぞれ活用した「高視聴頻度番組」対応放送システムとしている。（例えば、特許文献１）
【０００３】
また、従来のデジタルインターフェイスを介して接続された複数のＡＶ機器から構成されるＡＶネットワークシステムは、その中心にホームサーバを配置して管理情報の一元化を行い、利用者の操作性の向上を図っている。（例えば、特許文献２）
【０００４】
【特許文献１】
特開平９−２６１５４９号公報（第２〜７頁、図１、図２）
【特許文献２】
特開２００２−８３４８５号公報（第８〜９頁、図１〜図８、図１５、図１６）
【０００５】
【発明が解決しようとする課題】
上記した特許文献１の技術は、有線の高速ディジタルバスで各機器間を接続しており、ディスプレイを備えた機器が一台でユーザーの個人使用を前提としている。また、特許文献２の技術は、ネットワークの形式を特に制限をしていないが、特許文献１と同様にシステム構成図にユーザーディスプレイを備えた機器が一台でユーザーの個人使用を前提としている。
【０００６】
しかしながら、特許文献１および２のように、ディスプレイを備えた機器が一台しかないシステムあるいは同じ部屋のような比較的狭い領域に限ったシステムでは問題ないものの、複数の部屋に跨ってＡＶネットワークを構成した場合は、家庭内であっても無線ネットワークが望ましい。
【０００７】
無線通信では、例えば２．４ＧＨｚ帯のＩＥＥＥが策定した無線ＬＡＮの標準規格であるＩＥＥＥ８０２．１１ｂでは最大１１Ｍｂｐｓ（実効値では４〜５Ｍｂｐｓ）、高速版のＩＥＥＥ８０２．１１ｇでも最大２２Ｍｂｐｓ、５ＧＨｚ帯のＩＥＥＥ８０２．１１ａでは最大５４Ｍｂｐｓであるが、５ＧＨｚ帯を使っているためか、転送距離の増加に伴って転送速度が低下するという問題や遮蔽物があると転送速度が低下が大きいという問題があり、１０ｍ離れた地点で１２Ｍｂｐｓ程度の転送速度しか得られないというような報告もある。映像信号はＳＤ（Ｓｔａｎｄａｒｄ　Ｄｉｆｉｎｉｔｉｏｎ）でも転送速度は約４Ｍｂｐｓ、ＨＤ（Ｈｉｇｈ　Ｄｉｆｉｎｉｔｉｏｎ）では約２４Ｍｂｐｓの転送速度を持っており、無線を使ったネットワークを家庭内に構成することを考慮すると同時に複数のコンテンツを転送するということが起きた場合にネットワークの転送速度が問題となる。
【０００８】
この発明の目的は、家庭内ネットワークのトラフィックを調整し、ホームサーバからコンテンツを転送する時間を省くことを可能としたコンテンツ分散システムを提供することにある。
【０００９】
【課題を解決するための手段】
上記した課題を解決するために、この発明のコンテンツ分散記録再生システムでは、インターフェースを備え、音声および映像情報の処理を行い記録する複数の第１の記録再生装置と、インターフェースを備え、音声および映像情報の処理を行い記録する第２の記録再生装置と、を具備し、前記第２の記録再生装置内には、前記第１の記録再生装置によるコンテンツの予約録画情報を一元管理し、前記第１および第２の記録再生装置との間の前記コンテンツの転送先情報と転送開始時間を一元管理し、ユーザが前記コンテンツを視聴する場所に設置された前記第１の記録再生装置に予め前記コンテンツを転送する制御手段を有していることを特徴する。
【００１０】
また、インターフェースを備え、音声および映像情報の処理を行い記録する複数の第１の記録再生装置と、インターフェースを備え、音声および映像情報の処理を行い記録する第２の記録再生装置と、前記第２の記録再生装置内には、コンテンツの予約録画情報を前記複数の第１の記録再生装置から収集した予約録画情報を一元管理し、前記第１の記録再生装置間で前記コンテンツを転送し、該コンテンツの転送先情報と転送開始時間を一元管理し、ユーザーが前記コンテンツを視聴する場所に設置した前記第１の記録再生装置に予め前記コンテンツを転送する制御手段を有していることを特徴とする。
【００１１】
さらに、インターフェースを備え、音声および映像情報の処理を行い記録する複数の第１の記録再生装置と、インターフェースを備え、音声および映像情報の処理を行い記録する第２の記録再生装置と、を具備し、前記第２の記録再生装置内には、コンテンツの予約録画情報を前記第１の記録再生装置を介して供給された音声および映像情報を処理して前記第２の記録再生装置に記録し、前記第１の記録再生装置から提供される予約録画情報を一元管理し、前記複数の第１記録再生装置の間で前記コンテンツを転送し、該コンテンツの転送先情報と転送開始時間を一元管理し、ユーザーが前記コンテンツの視聴する場所に設置した前記第１の記録再生装置に予め前記コンテンツを転送する制御手段を有していることを特徴とする。
【００１２】
また、この発明のコンテンツ分散記録方法では、記録再生機能を内蔵する複数の記録再生装置およびセンターとなる記録再生機能を内蔵する記録再生装置を、インターフェースを介して家庭内ネットワークにそれぞれ接続し、前記複数の記録再生機器の視聴履歴を前記センターの記録再生機器で一元管理し、該一元した情報に基づき、視聴履歴の高い前記複数の記録再生機器に前記センターの記録再生機器から予めコンテンツを転送し、送られた少なくとも最も視聴履歴の高い前記複数の記録再生機器を記録状態に設定することを特徴とする。
【００１３】
また、記録再生機能を内蔵する複数の記録録再装置およびセンターとなる記録再生機能を内蔵する記録再生装置を、インターフェースを介して家庭内ネットワークにそれぞれ接続し、前記複数の記録再生送致の視聴履歴を前記センターの記録再生機器で一元管理し、前記視聴履歴から視聴の高い前記複数の記録再生装置のうち、該当する記録再生装置に予め前記コンテンツが記録された前記記録再生装置からコンテンツを転送し記録状態に設定していることを特徴とする。
【００１４】
さらに、記録再生機能を内蔵する複数の記録再生送致およびセンターとなる記録再生機能を内蔵する記録再生送致を、インターフェースを介して家庭内ネットワークにそれぞれ接続し、前記複数の記録再生送致の視聴履歴を前記センターの記録再生機器で一元管理し、前記視聴履歴から視聴の高い前記複数の記録再生装置のうち、該当する記録再生装置に予め前記コンテンツが記録された前記記録再生装置からコンテンツを転送するか、または前記視聴履歴から視聴の高い前記複数の記録再生装置のうち、該当する記録再生装置に予め前記コンテンツが記録された前記記録再生装置からコンテンツを転送し記録状態に設定していることを特徴とする。
【００１５】
上記した各手段により、ユーザーの視聴履歴をもとにして予めコンテンツをホームサーバから視聴機器に転送することで家庭内ネットワークのトラフィックを調整し、ホームサーバからのコンテンツ転送時間を待つことの弊害をなくすことが可能となる。
【００１６】
【発明の実施の形態】
以下、この発明の実施の形態について、図面を参照しながら詳細に説明する。図１は、この発明の第１の実施の形態について説明するためのシステム概略図である。このシステムは、大容量の記録装置を備えたホームサーバ等の機器にコンテンツを集中して記録し、記録されているコンテンツ内容をデータベース上で一元管理し、視聴履歴の最も高い機器に録画番組を選択的に転送（移動）できるコンテンツ再生（転送）システムである。
【００１７】
図１において、例えばＨＤＤ（Ｈａｒｄ　Ｄｉｓｃ　Ｄｒｉｖｅ）の記録装置を内蔵するホームサーバ２０、ＴＶ（テレビジョン）３０、ＴＶ４０、ＤＶＤ（Ｄｉｇｉｔａｌ　ＶｅｒｓａｔｉｌｅＤｉｓｃ）レコーダ５０、ＨＤＤレコーダ６０が家庭内ネットワーク１０で接続されている。家庭内ネットワーク１０は、ＩＥＥＥ８０２．１１ｂを用いることとするが、方式も特に限定するものではない。
【００１８】
次に、図２のフローチャートとともに、ホームサーバ２０でコンテンツ予約録画情報および再生可能なコンテンツ情報を一元管理する。ホームサーバ２０を操作するリモートコントローラ２４の操作情報を元にコンテンツ管理情報の一元管理について説明する。
【００１９】
リモートコントローラ２４で操作を行うと（Ｓ２０１）、ホームサーバ２０に対してコマンドを送信する。ホームサーバ２０では、リモートコントローラ２４からコマンドが送信されるとコマンドの種類を判定し（Ｓ２０２〜Ｓ２０４）、対応する処理を行う（Ｓ２０５，Ｓ２１０，Ｓ２２０）。リモートコントローラ２４から録画予約コマンドが送信されると（Ｓ２０２）、ホームサーバ２０では、放送開始・終了時間、チャンネル等の情報を抜き出し（Ｓ２１１）、入手した情報から利用可能なＥＰＧ（Ｅｌｅｃｔｏｒｉｃ　Ｐｒｏｇｒａｍｍｉｎｇ　Ｇｕｉｄｅ）情報があるかどうか判定し（Ｓ２１２）、デジタル放送などであれば入手したＥＰＧからジャンル、番組名等の情報を入手し（Ｓ２１３）、録画予約データベースにデータを追加する（Ｓ２１４）。また、ステップＳ２１２においてＥＰＧ情報がない場合は、ステップＳ２１１で得た情報のみを録画予約データベースに追加する（Ｓ２１４）。
【００２０】
また、録画予約の際には録画予約番組をダウンロードする先の機器と転送開始時間を設定する。録画予約データベースに記載された情報とダウンロード指定した機器の情報から視聴履歴データベースを作成する。番組の放送が開始されるとともに記録装置２１にコンテンツを記録し、記録終了とともにコンテンツ管理データベースに録画コンテンツを追加する。家庭内ネットワーク２０を用いて、ＴＶ３０，４０、ＤＶＤレコーダ５０、ＨＤＤレコーダ６０にコンテンツを配信する形態をとる。視聴履歴情報は過去一定期間の情報を貯めることが可能で、古い情報から上書きしてデータベースを作成する。
【００２１】
リモートコントローラ２４からのコマンドが放送中の番組を視聴している場合は、ステップＳ２０４において選局コマンドかどうか判断し、チャンネル変更等の選局コマンドであれば選局情報を抜き出し（Ｓ２２１）、利用可能なＥＰＧ情報がある場合は番組名、ジャンル等の番組情報を得て（Ｓ２２３）、操作時刻から視聴時間を取得し（Ｓ２２４）、視聴履歴データベースを更新する（Ｓ２２７）。ステップＳ２２２においてＥＰＧ情報がない場合には、ステップＳ２２１で得た情報とステップＳ２２４で得た視聴時間により視聴履歴データベースを更新する（Ｓ２２７）。その他のコマンドである場合は該当する処理を行い（Ｓ２０５）、前回の操作からの時刻の差分を取り視聴時間を取得し（Ｓ２２４）、視聴履歴データベースを更新する（Ｓ２２７）。
【００２２】
また、リモートコントローラ２４からのコマンドがダウンロード指定コマンドの場合は、ダウンロード指定先の指定情報・コンテンツ指定情報を抜き出し（Ｓ２２５）、抜き出したコンテンツ指定情報から録画予約データベースにアクセスし、該当コンテンツの番組情報（放送開始・終了時間、番組名等）を得（Ｓ２２６）、視聴履歴データベースを更新する（Ｓ２２７）。
【００２３】
このようにリモートコントローラ２４の操作コマンドをトリガにして視聴履歴データベースを更新することが可能である。この視聴履歴データベースから機器毎の視聴頻度データベースを作成する。視聴頻度データの時間は任意に設定して構わないが、例えば３０分毎に時間を区切った視聴頻度データベースを作成するとよい。
【００２４】
また、例えば毎週視聴している連続ドラマの番組名などを設定するなど、予めユーザーが個人の視聴傾向を入力できるようにしてもよい。その場合は該当番組の視聴頻度の初期値を１００％として扱い、これをベースにして視聴頻度データベースを作成する。
【００２５】
図３は、録画予約を行う場合の手順について説明するためのフローチャートである。すなわち、放送開始時間、放送終了時間、放送局、コンテンツ転送先機器指定、コンテンツ転送時間、画質を決める録画モード等の録画情報を入力する（Ｓ３０１）。入力された情報から録画に必要な記録容量を計算し（Ｓ３０１〜Ｓ３０２）、コンテンツがホームサーバ２０内に記録できるかどうか必要な処理を行う（Ｓ３１７〜Ｓ３２８）。
【００２６】
ホームサーバ２０内に記録できることが確認できた場合は、コンテンツ転送先機器の空き記録容量を求め（Ｓ３０４）、転送先の記録装置の空き容量と該当機器の個別予約情報を問い合わせる（Ｓ３０５）。
【００２７】
転送コンテンツの転送開始時間までに該当機器で個別に録画予約がある場合は、予測される録画必要容量を差し引いた容量を空き記録容量とする（Ｓ３０６〜Ｓ３０７）。
【００２８】
空き記録容量が予約番組の記録に必要と予測される容量に足りない場合は容量不足をユーザーに画面表示で告げ（Ｓ３０９〜Ｓ３１０）、再度ユーザーに該当機器にファイル転送を行うかどうか確認する（Ｓ３１１）。
【００２９】
さらにユーザーが該当機器に転送すると答えた場合は、該当機器の記録装置に記録されているコンテンツ内容を録画に必要な記録容量とともにリスト表示する（Ｓ３１２）。その際にサーバに同じコンテンツがあるもの、視聴したもの等から消去候補を記録容量（ファイルサイズ）は文字色や背景色を他のものと区別しやすいように変えて表示、あるいは消去候補のものだけ別枠で画面表示し、ユーザーに消去コンテンツを選択させる（Ｓ３１３）。
【００３０】
消去コンテンツだけでは該当機器の記録容量が確保できない場合、あるいは該当機器のコンテンツを消去したくない場合は、ユーザーがホームサーバに該当機器の記録コンテンツを転送して記録空き容量を確保する。
【００３１】
さらに予約録画ではなく、放送番組をそのまま録画して記録機器の空き容量が不足した場合などで転送ができなかった場合には、図４、図５に示すような容量不足で転送しなかったメッセージ４００あるいは転送が不完全であるメッセージ５００を該当機器の電源ＯＮ時に一定時間スーパーインポーズで画面表示する。あるいは、ホームサーバの録画予約データベースに転送できなかったことを示すフラグと容量不足で転送できなかったという理由を示すフラグを立てて、ユーザーに知らせる。
【００３２】
この実施の形態では、ユーザーがコンテンツの視聴の際に、実際に視聴する場所に設置した機器に予めコンテンツが転送されているため、ホームサーバからコンテンツ転送する時間を待つ必要がなくアクセス時間の短縮化を図ることができる。また、家庭内ネットワーク１０上にコンテンツを転送を開始する時間を指定することにより、トラフィックの衝突を避けて通信帯域を有効に使うことができる。
【００３３】
なお、この実施の形態では録画したコンテンツの転送時間をユーザーが録画予約時に設定することとしているが、予め転送タイミングを決めておいても構わない。例えば、コンテンツ録画が終了した時点であるとか、コンテンツ録画が全体の３／４終了した時点であるとか、朝４時に転送開始する等決め手おいても構わない。または転送する対象のコンテンツサイズと各時刻における予測転送速度から算出される予想転送時間を見積もり、いつユーザーがコンテンツを視聴しているかを示す履歴情報から転送開始時間を逆算して求めても構わない。
【００３４】
また、コンテンツ転送（ダウンロード）先の機器をユーザーが予約録画時に設定することとしているが、ホームサーバ２０からコンテンツをダウンロードした履歴情報をもとに高い頻度で視聴しているコンテンツのダウンロード先を自動で設定するようにしても構わない。
【００３５】
番組名等の番組情報を得るために、外部ネットワークを利用してホームページなどから直接得ても構わない。
次に、この発明の第２の実施の形態について説明する。この実施の形態は、個々の機器において録画予約は行い、コンテンツも個々の機器の記録装置に記録するが、個々の機器の録画予約情報と視聴情報（視聴履歴）をホームサーバ上のデータベースで一元管理し、録画が終了した後の任意の時間で、視聴履歴の最も高い機器に録画番組を転送（移動）するものである。
【００３６】
以下、この実施の形態について図６のシステム図、図７〜図９のパケット図、図６の動作手順を説明するための図１０のフローチャートを用いて説明する。
図６において、ＴＶ３０、ＨＤＤレコーダ６０等の個別機器からの録画予約情報あるいは視聴情報をホームサーバ２０に集めるために、個々の機器の操作情報をホームサーバ２０に家庭内ネットワーク１０を使って送信する。
【００３７】
ここで、図６のＨＤＤレコーダ６０においてリモートコントローラ６４を用いて録画予約する例について、図１０のフローチャートとともに説明する。
リモートコントローラ６４により操作を行うと、ＨＤＤレコーダ６０に対してコマンドを送出する。ＨＤＤレコーダ６０では、リコーとコントローラ６４からコマンド入力があると、コマンドの種類の判定を行い（Ｓ９０１〜Ｓ９０４）、各種コマンドに応じた処理を行う（Ｓ９０５〜Ｓ９０８）。録画予約コマンドを受けたＨＤＤレコーダ６０では、図７に示すようなデータ構造をしたパケット７００をネットワーク１０を経由してホームサーバ２０に送信する。
【００３８】
一方、ホームサーバ２０では、家庭内ネットワーク１０ホームサーバ２０宛のパケットがあるかどうか監視している（Ｓ９２０）。自分宛のパケットがある場合は特定のパケットかどうか判定を行い（Ｓ９２１〜Ｓ９２３）、該当する処理を行う（Ｓ９２４、Ｓ９３０、Ｓ９４０）。
【００３９】
録画予約情報パケット７００が送られて来た場合は、収集したパケットをもとに録画予約データベースに情報を追加する（Ｓ９３０）。
ステップＳ９３０においてホームサーバ２０では、放送開始・終了時間、チャンネル等の情報を抜き出し（Ｓ９３１）、パケットの中に番組情報等があるか否かを判断（Ｓ９３２）する。番組情報がある場合はステップＳ９３２での情報をステッブ９３３に送る。番組情報がない場合はＥＰＧ（Ｅｌｅｃｔｏｒｉｃ　Ｐｒｏｇｒａｍｍｉｎｇ　Ｇｕｉｄｅ）情報の有無を判断（Ｓ９３５）し、デジタル放送などであれば入手したＥＰＧからジャンル、番組名等の情報を入手し（Ｓ９３３）、録画予約データベースにデータを追加する（Ｓ９３４）。ステッブＳ９３５において、ＥＰＧからジャンル、番組名等の情報が得られない場合はＳ９３１で得た情報のみを録画予約情報に追加する（Ｓ９３４）。
【００４０】
次に、ＨＤＤレコーダ６０の視聴履歴をホームサーバ２０が収集する手段の一例について説明する。リモートコントローラ６４を用いてＨＤＤレコーダ６０に選局コマンドが送信されると、ＨＤＤレコーダ６０が図８に示すようなデータ構造をしたパケット８００をネットワーク１０を経由してホームサーバ２０に送信する。
【００４１】
ホームサーバ２０では、視聴情報パケット８００が送られて来た場合は、収集したパケットをもとに視聴時間を計算し、視聴履歴データベースに情報を追加する（Ｓ９４０）。
【００４２】
ステップＳ９４０において、選局コマンドかどうか判断し、チャンネル変更等の選局コマンドであれば選局情報を抜き出し（Ｓ９４１）、パケットの中に番組情報等があるか否かを判断（Ｓ９４２）する。番組情報がない場合はＥＰＧ（Ｅｌｅｃｔｏｒｉｃ　Ｐｒｏｇｒａｍｍｉｎｇ　Ｇｕｉｄｅ）情報の有無を判断（Ｓ９４５）し、ある場合ステップＳ９４２での情報をステッブ９４３に送る。操作時刻から視聴時間を取得し（Ｓ９４４）、視聴履歴データベースを更新する（Ｓ９４８）。以上により、視聴履歴データベースに視聴時間を追加することができる。Ｓ９４５においてＥＰＧからジャンル、番組名等の情報が得られない場合は、ステップＳ９４１で得た情報とＳ９４４で得た視聴時間により視聴履歴データベースを更新する（Ｓ９４８）。
【００４３】
この実施の形態は、第１の実施の形態と比較して、個別の機器で録画予約できるとともに、各機器のチューナを使用可能なため、同時に複数の裏番組録画が可能なことや機器単体では持っていないチューナによって記録されたコンテンツを視聴することが可能になる。
【００４４】
全ての情報を視聴履歴データベースに追加しても構わないが、ある一定の時間以上の視聴時間（例えば１０分間以上）のデータのみを視聴履歴データベースに追加するようにしても構わない。あるいは、個別機器からの録画予約情報あるいは視聴情報をホームサーバ２０に集めるために、予め情報提供の為の特定のコマンド（仮に録画予約情報提供コマンド、視聴履歴情報提供コマンド）を設定してもよい。ホームサーバ２０が家庭内ネットワーク１０に対して特定のコマンドをブロードキャストすることでネットワーク１０に接続し、該当情報を保持している機器から情報を集めるようにしてもよい。
【００４５】
【発明の効果】
以上説明したように、この発明によれば、ユーザーがコンテンツの視聴を行う場所に設置した機器に、予めコンテンツが転送されているため、ホームサーバからコンテンツを転送する時間を省くことができることから、アクセス時間の短縮化を図ることができる。
【図面の簡単な説明】
【図１】この発明の第１の実施の形態について説明するためのシステム図。
【図２】第１の実施の形態の視聴履歴データベース作成について説明するためのフローチャート。
【図３】第１の実施の形態のホームサーバと録画機器の間でコンテンツを転送する場合の記憶容量確保について説明するためのフローチャート。
【図４】転送先の機器にコンテンツが転送されなかった場合の表示画面例。
【図５】転送先の機器にコンテンツが一部分転送されなかった場合の表示画面例。
【図６】この発明の第２の実施の形態について説明するためのシステム図。
【図７】図６のＨＤＤレコーダのデータ構造について説明するための説明図。
【図８】図６のＨＤＤレコーダのデータ構造について説明するための説明図。
【図９】図６のＨＤＤレコーダのデータ構造について説明するための説明図。
【図１０】第２の実施の形態の視聴履歴データベース作成について説明するためのフローチャート。
【符号の説明】
１０…家庭内ネットワーク
２０…ホームサーバ
３０，４０…ＴＶ
５０…ＤＶＤレコーダ
６０…ＨＤＤレコーダ
【図１】
2004120038.tif 000003
【図２】
2004120038.tif 000004
【図３】
2004120038.tif 000005
【図４】
2004120038.tif 000006
【図５】
2004120038.tif 000007
【図６】
2004120038.tif 000008
【図７】
2004120038.tif 000009
【図８】
2004120038.tif 000010
【図９】
2004120038.tif 000011
【図１０】
2004120038.tif 000012